(57)【要約】【課題】隣接セルの割り当てをシグナリングするための方法、装置及びコンピュータプログラム製品を提供する。【解決手段】方法、ユーザ装置、ネットワーク装置及びソフトウェア製品は、隣接セルに比して各セルの割り当てに関する相違があればそれを指示するために複数の各セルからの指示子を使用する。その指示子に従い且つ測定が行われるセルの構成にも基づいてモビリティ測定が遂行される。【選択図】図７
2010526462.tif 000002
【特許請求の範囲】
【請求項１】
セルに対応する少なくとも１つの指示子であって前記セルとその隣接セルとの間でサブフレーム割り当てに関して相違があればそれを表す少なくとも１つの指示子を受信するステップと、
前記少なくとも１つの指示子に従い且つセルの構成にも基づいてセルにおける測定を遂行するステップと、
を備えた方法。
【請求項２】
前記割り当ては、マルチキャストブロードキャスト単一周波数ネットワーク又はユニキャストサブフレーム割り当てであり、そして
前記測定は、モビリティ関連の隣接セル測定である、
請求項１に記載の方法。
【請求項３】
ベースステーションから、前記セル内の移動ステーションへの又はそのベースステーションの前記隣接セルの１つにおける移動ステーションへのビーコン信号を受信するステップを更に備え、
前記ビーコン信号は、連続的ではなく時間周期で受信され、前記ビーコン信号は、そのビーコン信号が第１の時間インターバルにわたり第１の回数受信される第１フェーズと、そのビーコン信号が第２の時間インターバルにわたり第２の回数受信される第２フェーズとを含む少なくとも２つの考えられるフェーズを有し、
前記少なくとも１つの指示子は、少なくとも２つのセルがフェーズの共通設定を使用するかどうか指示する指示子を含む、
請求項１に記載の方法。
【請求項４】
前記少なくとも１つの指示子は、ノード間シグナリングを使用して自動的にセットされる、請求項１に記載の方法。
【請求項５】
前記少なくとも１つの指示子は、共通チャンネルを経て受信される、請求項１に記載の方法。
【請求項６】
前記共通チャンネルは、ブロードキャスト制御チャンネルである、請求項５に記載の方法。
【請求項７】
前記第２の回数は、前記第１の回数のサブセットを形成する、請求項３に記載の方法。
【請求項８】
前記少なくとも１つの指示子は、１ビットしか含まないか、又は前記少なくとも１つの指示子は、マルチキャストブロードキャスト単一周波数ネットワークが前記隣接セルに存在するかどうか指示するための少なくとも１つの付加的なビットを含む、請求項１に記載の方法。
【請求項９】
前記測定は、ビーコン信号測定であり、
前記少なくとも１つの指示子は、いつ移動ステーションが前記測定を確実に行えるか決定するように移動ステーションにより使用される、
請求項１に記載の方法。
【請求項１０】
前記ビーコン信号は、基準信号である、請求項９に記載の方法。
【請求項１１】
セルに対応する少なくとも１つの指示子であって前記セルとその隣接セルとの間でサブフレーム割り当てに関して相違があればそれを表す少なくとも１つの指示子を受信するように構成されたトランシーバと、
前記少なくとも１つの指示子に従い且つセルの構成にも基づいてセルにおける測定を遂行するように構成された測定モジュールと、
を備えた装置。
【請求項１２】
前記割り当ては、マルチキャストブロードキャスト単一周波数ネットワーク又はユニキャストサブフレーム割り当てであり、そして
前記測定は、モビリティ関連の隣接セル測定である、
請求項１１に記載の装置。
【請求項１３】
前記トランシーバは、ベースステーションから、前記セル内の移動ステーションへの又はそのベースステーションの前記隣接セルの１つにおける移動ステーションへのビーコン信号を受信するように構成され、
前記ビーコン信号は、連続的ではなく時間周期で受信され、前記ビーコン信号は、そのビーコン信号が第１の時間インターバルにわたり第１の回数受信される第１フェーズと、そのビーコン信号が第２の時間インターバルにわたり第２の回数受信される第２フェーズとを含む少なくとも２つの考えられるフェーズを有し、
前記少なくとも１つの指示子は、少なくとも２つのセルがフェーズの共通設定を使用するかどうか指示する指示子を含む、
請求項１１に記載の装置。
【請求項１４】
前記少なくとも１つの指示子は、ノード間シグナリングを使用して自動的にセットされる、請求項１１に記載の装置。
【請求項１５】
前記少なくとも１つの指示子は、共通チャンネルを経て受信される、請求項１１に記載の装置。
【請求項１６】
前記共通チャンネルは、ブロードキャスト制御チャンネルである、請求項１５に記載の装置。
【請求項１７】
前記第２の回数は、前記第１の回数のサブセットを形成する、請求項１３に記載の装置。
【請求項１８】
前記少なくとも１つの指示子は、１ビットしか含まないか、又は前記少なくとも１つの指示子は、マルチキャストブロードキャスト単一周波数ネットワークが前記隣接セルに存在するかどうか指示するための少なくとも１つの付加的なビットを含む、請求項１１に記載の装置。
【請求項１９】
前記測定は、ビーコン信号測定であり、
前記少なくとも１つの指示子は、いつ移動ステーションが前記測定を確実に行えるか決定するように移動ステーションにより使用される、
請求項１１に記載の装置。
【請求項２０】
前記ビーコン信号は、基準信号であり、そして前記装置は、移動ステーションである、請求項１９に記載の装置。
【請求項２１】
実行可能なコードが記憶されたコンピュータ読み取り可能な媒体を備え、前記コードは、プロセッサにより実行されたときに、
セルに対応する少なくとも１つの指示子であって前記セルとその隣接セルとの間でサブフレーム割り当てに関して相違があればそれを表す少なくとも１つの指示子を受信し、
前記少なくとも１つの指示子に従い且つセルの構成にも基づいてセルにおける測定を遂行する、
という機能を遂行するものである、コンピュータプログラム製品。
【請求項２２】
前記割り当ては、マルチキャストブロードキャスト単一周波数ネットワーク又はユニキャストサブフレーム割り当てであり、そして
前記測定は、モビリティ関連の隣接セル測定である、
請求項２１に記載のコンピュータプログラム製品。
【請求項２３】
ベースステーションから、前記セル内の移動ステーションへの又はそのベースステーションの前記隣接セルの１つにおける移動ステーションへのビーコン信号を受信し、
前記ビーコン信号は、連続的ではなく時間周期で受信され、前記ビーコン信号は、そのビーコン信号が第１の時間インターバルにわたり第１の回数受信される第１フェーズと、そのビーコン信号が第２の時間インターバルにわたり第２の回数受信される第２フェーズとを含む少なくとも２つの考えられるフェーズを有し、
前記少なくとも１つの指示子は、少なくとも２つのセルがフェーズの共通設定を使用するかどうか指示する指示子を含む、
請求項２１に記載のコンピュータプログラム製品。
【請求項２４】
前記少なくとも１つの指示子は、ノード間シグナリングを使用して自動的にセットされる、請求項２１に記載のコンピュータプログラム製品。
【請求項２５】
前記少なくとも１つの指示子は、共通チャンネルを経て受信される、請求項２１に記載のコンピュータプログラム製品。
【請求項２６】
セルに対応する少なくとも１つの指示子であって前記セルとその隣接セルとの間でサブフレーム割り当てに関して相違があればそれを表す少なくとも１つの指示子を受信するための手段と、
前記少なくとも１つの指示子に従い且つセルの構成にも基づいてセルにおける測定を遂行するための手段と、
を備えた装置。
【請求項２７】
前記割り当ては、マルチキャストブロードキャスト単一周波数ネットワーク又はユニキャストサブフレーム割り当てであり、そして
前記測定は、モビリティ関連の隣接セル測定である、
請求項２６に記載の装置。
【請求項２８】
ベースステーションから、前記セル内の移動ステーションへの又はそのベースステーションの前記隣接セルの１つにおける移動ステーションへのビーコン信号を受信するための手段を更に備え、
前記ビーコン信号は、連続的ではなく時間周期で受信され、前記ビーコン信号は、そのビーコン信号が第１の時間インターバルにわたり第１の回数受信される第１フェーズと、そのビーコン信号が第２の時間インターバルにわたり第２の回数受信される第２フェーズとを含む少なくとも２つの考えられるフェーズを有し、
前記少なくとも１つの指示子は、少なくとも２つのセルがフェーズの共通設定を使用するかどうか指示する指示子を含む、
請求項２６に記載の装置。
【請求項２９】
前記少なくとも１つの指示子は、ノード間シグナリングを使用して自動的にセットされる、請求項２６に記載の装置。
【請求項３０】
前記少なくとも１つの指示子は、共通チャンネルを経て受信される、請求項２６に記載の装置。
【請求項３１】
セルに対応する少なくとも１つの指示子であって前記セルとその隣接セルとの間でサブフレーム割り当てに関して相違があればそれを表す少なくとも１つの指示子を決定するように構成されたプロセッサと、
前記少なくとも１つの指示子に従い且つセルの構成にも基づいてセルにおける測定を遂行する少なくとも１つの装置へ前記少なくとも１つの指示子を与えるように構成されたトランシーバと、
を備えた装置。
【請求項３２】
前記割り当ては、マルチキャストブロードキャスト単一周波数ネットワーク又はユニキャストサブフレーム割り当てであり、そして
前記測定は、モビリティ関連の隣接セル測定である、
請求項３１に記載の装置。
【請求項３３】
前記トランシーバは、前記装置から、前記装置とで前記セルを共有する移動ステーションへの又は前記装置とで前記隣接セルの１つを共有する移動ステーションへのビーコン信号を与えるようにも構成され、
前記ビーコン信号は、連続的ではなく時間周期で受信され、前記ビーコン信号は、そのビーコン信号が第１の時間インターバルにわたり第１の回数受信される第１フェーズと、そのビーコン信号が第２の時間インターバルにわたり第２の回数受信される第２フェーズとを含む少なくとも２つの考えられるフェーズを有し、
前記少なくとも１つの指示子は、少なくとも２つのセルがフェーズの共通設定を使用するかどうか指示する指示子を含む、
請求項３１に記載の装置。
【請求項３４】
前記少なくとも１つの指示子は、ノード間シグナリングを使用して自動的にセットされる、請求項３１に記載の装置。
【請求項３５】
前記少なくとも１つの指示子は、共通チャンネルを経て受信される、請求項３１に記載の装置。
【請求項３６】
セルに対応する少なくとも１つの指示子であって前記セルとその隣接セルとの間でサブフレーム割り当てに関して相違があればそれを表す少なくとも１つの指示子を決定するための手段と、
前記少なくとも１つの指示子に従い且つセルの構成にも基づいてセルにおける測定を遂行する少なくとも１つの装置へ前記少なくとも１つの指示子を与えるための手段と、
を備えた装置。
【請求項３７】
前記割り当ては、マルチキャストブロードキャスト単一周波数ネットワーク又はユニキャストサブフレーム割り当てであり、そして
前記測定は、モビリティ関連の隣接セル測定である、
請求項３６に記載の装置。
【請求項３８】
セルに対応する少なくとも１つの指示子であって前記セルとその隣接セルとの間でサブフレーム割り当てに関して相違があればそれを表す少なくとも１つの指示子を決定するステップと、
前記少なくとも１つの指示子に従い且つセルの構成にも基づいてセルにおける測定を遂行する少なくとも１つの装置へ前記少なくとも１つの指示子を与えるステップと、
を備えた方法。
【請求項３９】
前記割り当ては、マルチキャストブロードキャスト単一周波数ネットワーク又はユニキャストサブフレーム割り当てであり、そして
前記測定は、モビリティ関連の隣接セル測定である、
請求項３８に記載の方法。
【請求項４０】
実行可能なコードが記憶されたコンピュータ読み取り可能な媒体を備え、前記コードは、プロセッサにより実行されたときに、
セルに対応する少なくとも１つの指示子であって前記セルとその隣接セルとの間でサブフレーム割り当てに関して相違があればそれを表す少なくとも１つの指示子を決定し、
前記少なくとも１つの指示子に従い且つセルの構成にも基づいてセルにおける測定を遂行する少なくとも１つの装置へ前記少なくとも１つの指示子を与える、
という機能を遂行するものである、コンピュータプログラム製品。
【請求項４１】
前記割り当ては、マルチキャストブロードキャスト単一周波数ネットワーク又はユニキャストサブフレーム割り当てであり、そして
前記測定は、モビリティ関連の隣接セル測定である、
請求項４０に記載の、コンピュータプログラム製品。
【発明の詳細な説明】
【技術分野】
【０００１】
本発明は、ワイヤレステレコミュニケーションの分野に係る。より詳細には、本発明は、セルの割り当てに関する。
【０００２】
関連出願の相互参照：本出願は、２００７年５月２日に出願された米国プロビジョナル特許出願第６０／９２７，３６２号の優先権を主張する。
【背景技術】
【０００３】
テレコミュニケーション産業は、ブロードバンドサービスもサポートしながら、高速アクセスを含む新世代の融通性のある手頃な通信を開発する過程にある。第三世代（３Ｇ）移動テレコミュニケーションシステムの多くの特徴が既に確立されたが、まだ多くの他の特徴を完成させねばならない。
【０００４】
第三世代の移動通信内のシステムの１つは、音声、データ、マルチメディア及びワイドバンド情報を固定及び移動顧客へ配信するユニバーサル移動テレコミュニケーションシステム（ＵＭＴＳ）である。図１に見られるように、ＵＭＴＳアーキテクチャーは、ユーザ装置１０２（ＵＥ）、ＵＭＴＳ地上無線アクセスネットワーク１０４（ＵＴＲＡＮ）及びコアネットワーク１２６（ＣＮ）より成る。ＵＴＲＡＮとＵＥとの間のエアインターフェイスは、Ｕｕと称され、そしてＵＴＲＡＮとコアネットワークとの間のインターフェイスは、Ｉｕと称される。
【０００５】
「進化型ＵＴＲＡＮ（ＥＵＴＲＡＮ）」とは、３Ｇを更に将来も採用することを意味する。ＥＵＴＲＡＮは、予想される種々の要件に対処するためにＵＭＴＳ移動電話を改良するように設計されている。ＥＵＴＲＡＮは、「ロングタームエボルーション（ＬＴＥ）」という語でしばしば示され、「システムアーキテクチャーエボルーション（ＳＡＥ）」のような語にも関連している。
【０００６】
ＬＴＥに関する情報は、３ＧＰＰ  ＴＲ２５．９１３（Ｖ７．２．０、２００５年１２月）、Requirements for Evolved UTRA (E-UTRA) and Evolved UTRAN、及び３ＧＰＰ  ＴＲ２５．８１３（Ｖ０．１．０、２００５年１１月）、Evolved UTRA and UTRAN- Radio interface protocol aspectsに見ることができ、これらは、両方とも、参考としてここにそのまま援用する。ＵＴＲＡＮ及びＥＵＴＲＡＮを、以下にある程度詳細に説明する。
【０００７】
ＵＴＲＡＮは、図１に見られるように、無線ネットワークサブシステム１２８（ＲＮＳ）のセットより成り、その各々は、多数のセル１１０（Ｃ）の地理的カバレージを有する。サブシステム間のインターフェイスは、Ｉｕｒと称される。各無線ネットワークサブシステム１２８（ＲＮＳ）は、無線ネットワークコントローラ１１２（ＲＮＣ）及び少なくとも１つのノードＢ１１４を備え、各ノードＢは、少なくとも１つのセル１１０の地理的カバレージを有する。図１から明らかなように、ＲＮＣ１１２とノードＢ１１４との間のインターフェイスは、Ｉｕｂと称され、このＩｕｂは、エアインターフェイスではなく、固定配線される。いずれのノードＢ１１４についても、１つのＲＮＣ１１２しかない。ノードＢ１１４は、ＵＥ１０２へ無線送信し及びＵＥ１０２から無線受信する役割を果たす（ノードＢのアンテナは、典型的に塔の頂部に見られ、或いは見難い位置にあるのが好ましい）。ＲＮＣ１１２は、ＲＮＳ１２８内の各ノードＢ１１４の論理的リソースの全体的制御を行い、又、ＲＮＣ１１２は、あるセルから別のセルへ又は同じセル内の無線チャンネル間でのスイッチングを伴うハンドオーバーの判断を行う役割も果たす。
【０００８】
ＵＭＴＳ無線ネットワークでは、ＵＥは、同時に実行される異なるサービスクオリティの複数のアプリケーションをサポートすることができる。ＭＡＣレイヤでは、複数の論理的チャンネルを単一のトランスポートチャンネルへマルチプレクスすることができる。トランスポートチャンネルは、論理的チャンネルからのトラフィックをどのように処理して物理的レイヤへ送信するか定義することができる。ＭＡＣと物理的レイヤとの間で交換される基本的なデータユニットは、トランスポートブロック（ＴＢ）と称される。これは、ＲＬＣ  ＰＤＵ及びＭＡＣヘッダより成る。送信時間インターバル（ＴＴＩ）と称される時間周期の間に、多数のトランスポートブロック及び幾つかの他のパラメータが物理的レイヤへ配送される。
【０００９】
一般的に述べると、大文字又は小文字の文字“Ｅ”のプレフィックスは、ロングタームエボルーション（ＬＴＥ）を意味する。Ｅ−ＵＴＲＡＮは、ｅＮＢ（Ｅ−ＵＴＲＡＮノードＢ）より成り、ＵＥに向けてＥ−ＵＴＲＡユーザ平面（ＲＬＣ／ＭＡＣ／ＰＨＹ）及び制御平面（ＲＲＣ）プロトコル終了を与える。ｅＮＢは、Ｓ１を経てアクセスゲートウェイ（ａＧＷ）にインターフェイスし、そしてＸ２を経て相互接続される。
【００１０】
Ｅ−ＵＴＲＡＮアーキテクチャーの一例が図２に示されている。Ｅ−ＵＴＲＡＮのこの例は、ｅＮＢより成り、ＵＥに向けてＥ−ＵＴＲＡユーザ平面（ＲＬＣ／ＭＡＣ／ＰＨＹ）及び制御平面（ＲＲＣ）プロトコル終了を与える。ｅＮＢは、Ｓ１インターフェイスによりＥＰＣ（進化型パケットコア）へ接続され、より詳細には、「モビリティマネージメントエンティティ（ＭＭＥ）」へ接続される。Ｓ１インターフェイスは、ＭＭＥとｅＮＢとの間の多数対多数の関係をサポートする。図２の例におけるＭＭＥは、アクセスゲートウェイ（ａＧＷ）に対する１つのオプションである。
【００１１】
Ｅ−ＵＴＲＡＮのこの例では、互いに通信する必要のあるｅＮＢ間にＸ２インターフェイスが存在する。ｅＮＢは、無線リソースマネージメント（無線ベアラ制御、無線入場制御、接続モビリティ制御、アップリンク及びダウンリンクの両方におけるＵＥへのリソースの動的割り当て）、ＵＥアタッチメントにおけるモビリティマネージメントエンティティ（ＭＭＥ）の選択、（ＭＭＥから発信される）ページングメッセージのスケジューリング及び送信、（ＭＭＥ又はＯ＆Ｍから発信される）放送情報のスケジューリング及び送信、並びにモビリティ及びスケジューリングに対する測定及び測定報告構成のようなファンクションをホストすることができる。ＭＭＥは、次のようなファンクション、即ちｅＮＢへのページングメッセージの配布、セキュリティ制御、ＩＰヘッダ圧縮及びユーザデータストリームの暗号化、ページングの理由に対するＵ平面パケットの終了、ＵＥモビリティをサポートするためのＵ平面のスイッチング、アイドル状態モビリティ制御、システムアーキテクチャーエボルーション（ＳＡＥ）ベアラ制御、並びにＮＡＳシグナリングの暗号化及び完全性保護、等をホストすることができる。
【００１２】
この分野における近年の開発によれば、ユーザ装置（ＵＥ）は、参考としてここにそのまま援用する３ＧＰＰ  ＴＳ  ３６．２１１  Ｖ．１．０．０（２００７−０３）Physical Channels and Modulation (Release 8)で定められた厳密なパイロット／フレーム構造をもつ第１アンテナ（＃１）及び第２アンテナ（＃２）からの基準信号（ＲＳ）を測定することができる。この基準信号（ＲＳ）を保持する「直交周波数分割多重化（ＯＦＤＭ）」記号が、ユニキャストサブフレーム当たり４回生じると共に、「マルチキャストブロードキャスト単一周波数ネットワーク（ＭＢＳＦＮ）」サブフレームにおいて１回だけ生じる。モビリティ測定の正確さ及び信頼性は、測定に適したＲＳリソース要素の数と、（例えば、ＭＢＳＦＮサブフレームにおける）幾つかのＲＳリソース要素の有無をＵＥが知っていること、とに依存する。これらのモビリティ測定は、ＵＥがキャンピングしているセルのＲＳリソース要素、及びそれに対応する隣接セルに対して実行されねばならない。
【発明の概要】
【発明が解決しようとする課題】
【００１３】
この問題に対する種々の解決策が試みられている。例えば、１つの技術は、このセルの一次ブロードキャストチャンネル（Ｐ−ＢＣＨ）に対するセルの全ＭＢＳＦＮサブフレーム割り当てをシグナリングすることである。しかしながら、この技術は、オーバーヘッドの観点から非常にコストがかかる。というのは、Ｐ−ＢＣＨは、非常に頑丈なチャンネルであり、各Ｐ−ＢＣＨビットがセルの容量の無視できない部分を消費するからである。更に、隣接セルからＲＳを測定するために、隣接セルからのＰ−ＢＣＨを測定の前及び測定中に受け取ることを必要とし、これは、信頼性が低く、余計な複雑さを付加する。
【００１４】
第２の技術は、各サブフレームの第１のＯＦＤＭ記号においてＲＳのみを測定することである。しかしながら、この技術によれば、測定に適したＲＳ要素の数が常に４の係数で減少され、測定の不正確さを招く。
【００１５】
第３の技術は、パーキャリア(per carrier)ＭＢＳＦＮ／非ＭＢＳＦＮ指示をシグナリングすることである。それ故、ＭＢＳＦＮのケースでは、各サブフレームの第１のＲＳ  ＯＦＤＭ記号しか使用されず（上述した第２の技術を参照）、又、非ＭＢＳＦＮのケースでは、４個までのＲＳ  ＯＦＤＭ記号を使用することができる。これは、後者のケースにおいて、全ての利用可能な適格なＲＳ要素をユニキャストキャリアにおいて測定できることを意味する。しかしながら、この第３の技術によれば、測定に適したＲＳ要素の数は、いずれの混合ＭＢＳＦＮ／ユニキャストキャリア（ＭＢＳＦＮエリアが２つのセルしか含まないキャリアを含むか又はキャリア規模のＭＢＳＦＮエリア（１つ又は複数）を含む）においても４の係数で減少される。
【課題を解決するための手段】
【００１６】
本発明は、ＬＴＥに関して適用できるが、その原理は、ＬＴＥに限定されず、むしろ、他の種々の現在及び将来のワイヤレステレコミュニケーションシステムにも適用できる。本出願全体を通じて、「ベースステーション」という一般的な語は、ｅＮＢ、ノードＢ、又はＵＴＲＡＮのベースステーションと同様の目的を果たす他のネットワーク要素を含むと理解されたい。
【００１７】
本発明は、３ＧＰＰの標準的なロングタームエボルーション(Long Term Evolution)に係る。より詳細には、１つの周波数キャリア内にユニキャスト及びマルチキャスト／ブロードキャストトラフィックをマルチプレクスする能力を考慮したモビリティ測定について考える。
【００１８】
この分野での近年の開発によれば、マルチメディアブロードキャストマルチメディアサービス（ＭＢＭＳ）の時分割多重化（ＴＤＭ）、及びデータチャンネル（物理的ダウンリンク共有チャンネルＰＤＳＣＨ）のユニキャスティングは、サブフレームベースで行われる。ユニキャスト制御チャンネル（物理的ダウンリンク制御チャンネル又はＰＤＣＣＨ）は、ダウンリンクユニキャストパイロット（セル特有のＲＳ）と一緒に、混合ＭＢＳＦＮ又はユニキャストキャリアのケースでは、同じサブフレーム（いわゆるＭＢＳＦＮサブフレーム）においてＭＢＳＦＮとＴＤＭマルチプレクスすることができる。このようなＭＢＳＦＮサブフレームでは、ＰＤＣＣＨ（セル特有のパイロットをもつ）が、最初の、又は最初の２つの、ＯＦＤＭ記号において送信され、そしてＭＢＳＦＮ（マルチセルトラフィック及びパイロット）が、サブフレームの残りのＯＦＤＭ記号において送信される。更に、近年の開発によれば、ＭＢＳＦＮは、サブフレーム＃０及び＃５（即ち、同期キャンネル又はＳＣＨサブフレーム）において送信されてはならず、ＵＥが少なくともこれらのサブフレームにおいて測定のためにセル特有のＲＳを機密理に使用できるようにする。
【００１９】
又、ＭＢＳＦＮサブフレームのＭＢＳＦＮ記号は、セル共通のパイロットを含むこともできるが、それらは、ユニキャストハンドオーバー測定に使用することはできない。
【００２０】
自分のセルを経て隣接セルにおけるＭＢＳＦＮ又はユニキャストサブフレーム割り当てに関する完全な情報を与えることは、オーバーヘッド又はシグナリングの観点からコストがかかる。それ故、本発明は、隣接セルにおけるＭＢＳＦＮ又はユニキャスト割り当てに関する情報を与えると共に、隣接セルのＵＥモビリティ測定に適したＲＳリソース要素の数を最大にすることによりモビリティ関連隣接セル測定の精度を最大にする効率的な方法を含む。
【００２１】
本発明によれば、各セルは、自分のセルと隣接セルとの間でのユニキャスト又はＭＢＳＦＮサブフレーム割り当ての相違の指示子（好ましくは１ビットのみ）を送信する。この指示子は、共通チャンネル、好ましくは、ブロードキャスト制御チャンネルにおいてブロードキャストされる。この指示子は、セットされ、そして隣接セルにおけるユニキャスト又はＭＢＳＦＮ割り当てが自分のセルに比して同じであるかどうかをシグナリングする。
【００２２】
多くのシナリオにおけるユニキャスト又はＭＢＳＦＮ割り当ては、自分のセル及び隣接セルで同じであることに注意されたい。これらのシナリオは、ユニキャストキャリア（及びＭＢＳＦＮ専用キャリア）、ＰＬＭＮ規模のＭＢＳＦＮエリア（１つ又は複数）をもつユニキャスト／ＭＢＳＦＮキャリア、ユニキャスト／ＭＢＳＦＮキャリアにおいて大きな地理的領域に展開された非ＰＬＭＮ規模のＭＢＳＦＮエリア（１つ又は複数）、並びに非ＰＬＭＮ規模のＭＢＳＦＮ展開をもつユニキャスト／ＭＢＳＦＮキャリアにおけるユニキャストエリア（ＰＬＭＮは、公衆地上移動ネットワークを表す）を含む。更に、ノード間シグナリングを使用して、指示子の設定を自動化することもできる。
【図面の簡単な説明】
【００２３】
【図１】ＵＴＲＡＮネットワークを示す。
【図２】ＬＴＥアーキテクチャーを示す。
【図３】指示子がノードＢの全セルに対して同じであり、ノードＢ１の隣接セルが、異なるユニキャスト又はＭＢＳＦＮ割り当てを有する場合を示す。
【図４】全セルがユニキャストであり、指示子がオフである場合を示す。
【図５】全セルが、混合ユニキャスト又はＭＢＳＦＮであり且つ同じユニキャスト又はＭＢＳＦＮ割り当てを有し（即ち、セルが同じＭＢＳＦＮエリアに属し）、従って、指示子がオフである場合を示す。
【図６】本発明の一実施形態による方法を示すフローチャートである。
【図７】本発明の一実施形態によるシステムを示すブロック図である。
【発明を実施するための形態】
【００２４】
本発明の好ましい実施形態を以下に説明する。これは、本発明を具現化する１つの方法を例示するに過ぎず、本発明の範囲を限定するものではない。
【００２５】
上述したように、各セルは、自分のセルと隣接セルとの間のユニキャスト又はＭＢＳＦＮサブフレーム割り当ての差の指示子（好ましくは１ビットのみ）を送信する。この指示子は、共通のチャンネル、好ましくは、動的ブロードキャストチャンネルにおいてブロードキャストされる。この指示子は、セットされ、そして隣接セルにおけるユニキャスト又はＭＢＳＦＮ割り当てが自分のセルに比して同じであるかどうかをシグナリングする。
【００２６】
本発明の一実施例が図３に示されており、ここでは、指示子がノードＢの全てのセルに対して同じであり、ノードＢ１の隣接セルは、異なるユニキャスト又はＭＢＳＦＮ割り当てを有する。その結果、ノードＢ１のセルにおいてブロードキャストされる指示子は、オンである。ノードＢ１は、（６つの）周囲ノードＢ（太線でマークされた）のグループのセルにおけるＭＢＳＦＮ又はユニキャスト割り当てを知っている。ノードＢ２の隣接セルは、同じＭＢＳＦＮ又はユニキャスト割り当てを有し、それ故、ノードＢ２のセルにおける指示子はオフである（ノードＢ３についても同じ）。図３の十文字パターンは、ＭＢＳＦＮエリアを示す。このノードＢの隣接セルにおけるＭＢＳＦＮサブフレームの位置が、ｅノードＢ４におけるＭＢＳＦＮサブフレームのサブセットであり、即ちノード４のセルにおけるＵＥが、その周囲セルが同じ又はそれより多いユニキャストサブフレームを送信することを知っている場合には、ｅノードＢ４における指示子もオフにセットできることが明らかである。
【００２７】
指示子が第１の値、例えば“０”（例えば、ユニキャストキャリア、図４を参照、ＭＢＳＦＮエリアの内部、図５を参照）にセットされる場合には、これは、隣接セルにおけるユニキャスト又はＭＢＳＦＮ割り当て（即ち、ＭＢＳＦＮ及び／又はユニキャストサブフレームの位置）が自分のセルと同じであることを意味する。ＵＥのアクションは、自分のセルの測定に使用されるものに対応する隣接セルの「基準信号受信電力（ＲＳＲＰ）」の測定に適したＲＳリソース要素をＵＥが使用できるようなものである。隣接セルにおける適格なＲＳリソース要素は、自分のセルのユニキャスト／ＭＢＳＦＮ割り当てに基づいて導出される。
【００２８】
しかしながら、指示子が第２の値、例えば“１”（例えば、ＭＢＳＦＮエリアの境界、図３を参照）にセットされる場合には、これは、隣接セルにおけるユニキャスト又はＭＢＳＦＮ割り当てが自分のセルに比して異なることを意味する。ＵＥのアクションは、（ＵＥが第１ＯＦＤＭ記号における繰り返しプレフィックス長さを知っているにも関わらず）ＳＣＨサブフレームにおける全てのＲＳリソース要素と一緒に各サブフレームの第１ＯＦＤＭ記号におけるＲＳリソース要素のみを使用して隣接セルを測定するようにＵＥが後退するようなものである。
【００２９】
更に、各セル／ｅノードＢが、その隣接セル／ノードＢにおけるＭＢＳＦＮ／ユニキャスト割り当てが同じであるかどうかを決定し、そして指示子の値を自動的にセットできるように、ノード間シグナリングが存在してもよい。このシグナリングは、隣接ｅノードＢ（Ｘ２インターフェイス）間に生じ、他の各々のＭＢＳＦＮ／ユニキャスト割り当てに関する情報を交換する。又、このシグナリングは、マスターノード（例えば、マルチセル整合エンティティ）と隣接ｅノードＢのグループとの間に生じて、ノードＢ／セルに、隣接セルにおけるＭＢＳＦＮ／ユニキャスト割り当てが同じであるかどうか通知する（或いは又、隣接セル／ｅノードＢの厳密なＭＢＳＦＮ／ユニキャスト割り当てに関して通知する）。
【００３０】
セル間の電力制御の観点から、Ｘ２インターフェイスを経て過負荷指示子を交換する隣接セルの観念（サービス側ＵＥにより検出可能で且つ測定される）がなければならない。それ故、他の各々のＭＢＳＦＮ／ユニキャスト割り当てを知っている隣接セルを定義するのに同じグループが使用できれば、有益で且つ簡単である。
【００３１】
動的ブロードキャストチャンネル（Ｄ−ＢＣＨ）又はＭＢＭＳ制御チャンネル（ＭＣＣＨ）受信の前に、ＵＥは、例えば、初期のセルサーチ中には、自分のセルにおけるＭＢＳＦＮ／ユニキャスト割り当てを知らないことがある。その結果、Ｄ−ＢＣＨ復調のためのサブフレーム間チャンネル推定が制約を受けることがある。それ故、Ｄ−ＢＣＨをユニキャストサブフレーム（例えば、ＳＣＨサブフレーム）に対して隣接配置することにより、サブフレーム間チャンネル推定に制約を与えないことが有益である。
【００３２】
上述した好ましい実施形態の効果は、オーバーヘッドが低いと共に、測定中に隣接セルのブロードキャストチャンネルを常時読み取る必要がないことである。更に、隣接セルのモビリティ測定に適したＲＳリソース要素の数が典型的な展開シナリオにおいて増加される（これは、測定精度を高めると共に、誤ったハンドオーバー及びセル再選択の数を減少させる）。又、各セルにおける指示子は、ＭＢＳＦＮ／ユニキャスト割り当てのノード間シグナリングが指定された場合に自動的にセットすることができる（或いは又、指示子の設定は、オペレータ特有又は具現化特有でよい）。更に、セル間電力制御に対してＸ２インターフェイスを経て過負荷指示子を交換するノードＢ又はセルのグループが再使用される場合には隣接セル又はノードＢのグループを付加的に定義する必要はない（或いは又、グループの定義は、オペレータ特有／具現化特有でよい）。
【００３３】
或いは又、幾つかのＵＥが自分のセルにおけるＭＢＳＦＮ又はユニキャスト割り当てを知らない場合には、次の解決策を採用することができる。即ち、指示子が３つ以上の値／状態（例えば、２ビット）をとることができる。２つの値は、好ましい実施形態で述べたようにＭＢＳＦＮ又はユニキャスト割り当てを知っているＵＥにより使用され、残りの２つの値は、自分のセルにおけるＭＢＳＦＮ又はユニキャスト割り当てを知らないＵＥに、隣接セルがユニキャスト又は混合ＭＢＳＦＮであるかユニキャストセルであるかシグナリングするのに使用される。
【００３４】
ｅノードＢとＵＥとの間のシグナリングは、ｅノードＢ及びＵＥにおいて指定され具現化されねばならない。更に、シグナリング及び関連振舞いの解釈は、ＵＥにおいて具現化される。最終的には、それに対応するｅノードＢ対ｅノードＢシグナリング又は中央ノードを伴う情報交換が必要となる。
【００３５】
本発明は、ベースステーション（例えば、ｅノードＢ）がそれらのセルにおいて移動ステーション（例えば、ＵＥ）のためのビーコン信号（例えば、基準信号）を与え、このビーコン信号が特定の時間周期（例えば、基準信号記号）で与えられ、即ち連続的には与えられず、そして少なくとも２つのフェーズがあり、即ちビーコン信号が固定位置において時間インターバルＡにわたりＮ回（例えば、Ｎ＝４）与えられるフェーズＡ（例えば、ユニキャストサブフレーム）と、ビーコン信号が固定位置において時間インターバルＢにわたりＭ回（例えば、Ｍ＝１）与えられるフェーズＢ（例えば、ＭＢＭＳサブフレーム）と、があるセルラー移動通信システム（例えば、ＬＴＥ）を含む。
【００３６】
各セルは、フェーズＡのみ、フェーズＢのみ、又はフェーズＡ及びＢの組み合わせのいずれかで動作することができ、どれほど多くのフェーズＡと、どれほど多くのフェーズＢが互いに続くかはセル特有である。本発明は、決定された時間周期中に使用されるフェーズＡ及びＢのシーケンスのセル特有リストを交換し、これらのリストを隣接セル／ベースステーション間でネットワークインターフェイスを経て交換し、それに対応する情報をサービスセルによりＵＥへ与えてそれらのＵＥが自分のセル及び隣接セルのどちらのビーコン信号をいつ測定すべきか分かるようにすることで、移動ステーションがサービス（自分の）セル及び隣接セルにおいてそれらビーコンの測定を実行するためのシステムを考慮し且つそのような手段を提供する。
【００３７】
又、本発明は、上述したシステムの変更も含む。このシステムは、Ｍ回の位置がＮ回の位置のサブセットを形成するようにされてもよい。又、このシステムは、セルが同期されるか、又はＵＥが（例えば、同期チャンネルを読むことにより）セルのタイミングを知るようにされてもよい。
【００３８】
又、本発明は、「対応する情報」が、サービスセル及び隣接セルに対して完全リスト又は減少リストの形態で与えられる（例えば、セル１：ｘ回フェーズＡ、ｙ回フェーズＢ；セル２：ｑ回フェーズＡ、ｒ回フェーズＢ；セル３：ｕ回フェーズＢ、ｖ回セルＡ、ｗ回フェーズＢ；又は例えば、減少：ｘＡ、ｙＢ／ｑＡ、ｒＢ／ｕＢ、ｖＡ、ＷＢ）か、或いはサービスセルのみからのリストとしてブロードキャスト的に（例えば、ＢＣＨを経て）又は移動ステーション特有の仕方で与えられるような、上述したシステムのいずれを含む。
【００３９】
又、本発明は、「対応する情報」が、サービスセルに対して、サービスセルからのリストの形態でブロードキャスト的に（例えば、ＢＣＨを経て）又は移動ステーション特有の仕方で与えられるか、或いは全ての規定隣接セルに対して、サービスセルが規定セットの隣接セルと同じフェーズＡ／フェーズＢ設定を使用するかどうかを指示するサービスセルから送られる指示子の形態で与えられるような、上述したシステムを含む。この指示子は、隣接セル当たり１つの指示子でもよいし、又は全てのセルに対して１つの指示子でもよい。
【００４０】
又、本発明は、Ｍ回位置がＮ回位置のサブセットを形成し、隣接セルの設定がサービスセルとは異なることを指示子が指示する場合に、ＵＥが少なくともビーコン信号のサブセットを測定できるような、上述したシステムを含む。
【００４１】
ベースステーションが、一連のフェーズＡ及びＢに対して同様にその全てのセルを制御する場合には、上述した種々のシステムに関連した事柄を、サービスセル及び隣接セルごとではなく、サービス及び隣接ベースステーションごとに、具現化することもできる。
【００４２】
図６に見られるように、本発明の１つの方法１６００は、ベースステーションから不連続なビーコン信号を受信する（６０５）ことにより開始し、ビーコン信号は、２つの考えられるフェーズを有する。これは、複数のベースステーションで生じる。次いで、２つの考えられるフェーズについての各セルの使用に関し、隣接セルに比してベースステーションセルにおける相違を指示する指示子がベースステーションから受信される（６１０）。その後、この指示子を使用すると共に、セル構成情報も使用して、モビリティ関連の隣接セル測定が遂行される（６２０）。
【００４３】
この方法の一部分を遂行するための実施形態が図７に示されている。システム７００は、移動通信装置７１０及びベースステーション７２０を備えている。ベースステーションのプロセッサ７３５は、異なるセルにおける異なる割り当てを表す指示子を計算し、その指示子をトランシーバ７４０に与え、該トランシーバは、その指示子を移動装置７１０へ送信する。移動装置は、指示子を受信するためのトランシーバ７２５と、その指示子を使用してモビリティ関連測定を遂行するための測定モジュール７３０とを備えている。
【００４４】
本発明に関連した更に別の幾つかの概念を以下に簡単に述べるが、これは、何が最終的に請求されるかを限定するものではない。
【００４５】
本発明の実施形態は、各セルとその隣接セルとの間で割り当てに関して相違があればそれを各々表す指示子を複数の各セルから受信し、そしてその指示子に従い且つ測定がおこなわれるセルの構成に基づいて測定を遂行することを含む方法である第１の概念を包含する。
【００４６】
又、本発明の実施形態は、指示子の少なくとも１つが、ノード間シグナリングを使用して自動的にセットされるような、第１の概念の方法も包含する。
【００４７】
又、本発明の実施形態は、各セルとその隣接セルとの間で割り当てに関して相違があればそれを各々表す指示子を複数の各セルから受信するように構成されたトランシーバと、その指示子に従い且つ測定がおこなわれるセルの構成に基づいて測定を遂行するように構成された測定モジュールと、を備えた移動装置である第３の概念も包含する。
【００４８】
又、本発明の実施形態は、指示子の少なくとも１つが、ノード間シグナリングを使用して自動的にセットされるような、第３の概念の移動装置である第４の概念も包含する。
【００４９】
又、本発明の実施形態は、各セルとその隣接セルとの間で割り当てに関して相違があればそれを各々表す指示子を複数の各セルから受信するための手段と、その指示子に従い且つ測定がおこなわれるセルの構成に基づいて測定を遂行するための手段と、を備えた移動装置である第５の概念も包含する。
【００５０】
又、本発明の実施形態は、指示子の少なくとも１つが、ノード間シグナリングを使用して自動的にセットされるような、第５の概念の移動装置である第６の概念も包含する。
【００５１】
又、本発明の実施形態は、実行可能なコードが記憶されたコンピュータ読み取り可能な媒体を備え、前記コードは、プロセッサにより実行されたときに、各セルとその隣接セルとの間で割り当てに関して相違があればそれを各々表す指示子を複数の各セルから受信し、そしてその指示子に従い且つ測定がおこなわれるセルの構成に基づいて測定を遂行する、というステップを実行するようにされた、コンピュータプログラム製品である第７の概念も包含する。
【００５２】
又、本発明の実施形態は、指示子の少なくとも１つが、ノード間シグナリングを使用して自動的にセットされるような、第７の概念のコンピュータプログラム製品である、第８の概念も包含する。
【００５３】
上述した実施形態は、ここに述べる方法に適合する標準的なオペレーティングシステムソフトウェアを伴う汎用又は特殊使用のコンピュータシステムを使用して具現化することができる。そのソフトウェアは、システムの特定ハードウェアのオペレーションを推進するように設計され、且つ他のシステムコンポーネント及びＩ／Ｏコントローラに適合するものである。この実施形態のコンピュータシステムは、単一処理ユニット、並列オペレーションを実行できる複数の処理ユニットを含むＣＰＵプロセッサを備え、或いはＣＰＵは、１つ以上の位置、例えば、クライアント及びサーバーにある１つ以上の処理ユニットにわたって分散させることもできる。メモリは、磁気媒体、光学媒体、ランダムアクセスメモリ（ＲＡＭ）、リードオンリメモリ（ＲＯＭ）、データキャッシュ、データオブジェクト、等を含む既知の形式のデータ記憶及び／又は送信媒体でよい。更に、ＣＰＵと同様に、メモリは、１つ以上の形式のデータ記憶装置を含む単一の物理的位置に存在してもよいし、或いは種々の形態の複数の物理的システムにわたって分散されてもよい。
【００５４】
最良の態様の以上の説明及び添付図面は、ここに取り上げる方法、システム、移動装置、ネットワーク要素、及びソフトウェア製品を完全に厳密に表すものではないことを理解されたい。又、当業者であれば、上述したステップ及び信号は、種々の形式の中間的相互作用を除外するものではない一般的な原因／効果関係を表すもので、更に、上述した種々のステップ及び構造は、ここで詳細に述べる必要のないハードウェア及びソフトウェアの種々の異なる組み合わせを使用して、種々の異なるシーケンス及び構成で具現化できることが理解されよう。
【符号の説明】
【００５５】
１０２：ユーザ装置（ＵＥ）
１０４：ＵＭＴＳ地上無線アクセスネットワーク（ＵＴＲＡＮ）
１１０：セル
１１２：無線ネットワークコントローラ（ＲＮＣ）
１１４：ノードＢ
１２６：コアネットワーク（ＣＮ）
１２８：無線ネットワークサブシステム（ＲＮＳ）
７００：システム
７１０：移動装置
７２０：ベースステーション
７２５：トランシーバ
７３０：測定モジュール
７３５：プロセッサ
７４０：トランシーバ
【図１】
2010526462.tif 000003
【図２】
2010526462.tif 000004
【図３】
2010526462.tif 000005
【図４】
2010526462.tif 000006
【図５】
2010526462.tif 000007
【図６】
2010526462.tif 000008
【図７】
2010526462.tif 000009
【国際調査報告】
2010526462.tif 000010
2010526462.tif 000011
2010526462.tif 000012